(57)【特許請求の範囲】
【請求項１】
複数の第１の輪ゴムを引き金の操作に応じ、連続的に発射可能である第１の射撃形態と、一つの第２の輪ゴムを単発で発射する第２の射撃形態とを有する複数の射撃形態を備えており、板状で、対向して設けられ、グリップ部を有する一対の銃本体を備え、
銃身部材と、第１の輪ゴムを装填する装填部材と、該装填部材と連動する引き金と、該引き金と連動する撃鉄とを順に前記銃本体どうしで、挟持すると共に、前記グリップ部どうしで挟持されるグリップ部材とを有しており、前記銃本体には、前記銃身部材と前記グリップ部材が固定されると共に、前記装填部材、前記引き金、前記撃鉄が回転可能に取付けられた輪ゴム銃であって、
前記銃身部材には、先端部に設けられ、前記第１の輪ゴムを引っ掛ける第１のフックを有し、
前記装填部材は、側面視三角形状の板状で、三つの側面及び頂部を有し
前記引き金は板状で、前記側面を押圧し得る押圧面と、この押圧面と反対方向の上端部の一側面に伝達面と、前記押圧面から上方端部に前記頂部を引掛ける引っ掛け部と、前記伝達面の下には、突出した突起部とを有しており、
前記撃鉄は板状で、前記伝達面と接触可能な撃鉄面を有し、前記撃鉄面の下には、前記突起部を止める被係止部を備えており、
一端と他端とを有し、前記突起部の下側及び前記撃鉄の底辺部に前記一端が固定され、前記グリップ部材に前記他端が連結固定された伸び縮み可能な弾性手段を、備えており、
前記撃鉄は、前記第２の輪ゴムを掛ける立設された棒状の発射部を上端に有しており、
前記銃身部材の下側に上端面が接触してスライド可能に配置され、複数の凹凸部を下側に有するラック部、該ラック部と連通すると共に、前記装填部材の一つの側面と接触し得る傾斜状の制止面を有するラック部材と、
板状で、一端部に前記凹凸部に歯合するピニオンを有する半円部と、該半円部が前記銃本体に回転可能に設けられると共に、前記半円部と反対方向の他端部に前記第２の輪ゴムを引っ掛ける第２のフックを有する単発用銃身とを備え、
前記ラック部材、前記単発用銃身は、前記銃本体どうしで、挟持すると共に、前記銃本体に回転可能に取付けられており、
前記第１の射撃形態では、前記単発用銃身が折り畳まれた状態で、前記制止面と前記装填部材の側面とが離れ、前記装填部材が回転可能である、
前記第２の射撃形態では、前記単発用銃身と前記銃身部材とが一直線状にした状態で、前記制止面が前記装填部材の側面と当接して、前記装填部材が前記銃本体の天面と前記発射部の上面とを結ぶ線上よりも、突出しないように形成されている、
ことを特徴とする輪ゴム銃。
【発明の詳細な説明】
【技術分野】
【０００１】  本発明は、輪ゴム銃に関するものである。
【背景技術】
【０００２】  従来の輪ゴム銃は下記特許文献１によれば、銃身と、多数の歯を有する回転板としての装填部材と、歯をバネにより押圧する引き金と、装填部材を止めるストッパーとを備えている。この輪ゴム銃では、銃身の先端と各歯に輪ゴムを順次かけた後、引き金を引くと、ストッパーが歯から外れて装填部材が回転し、輪ゴムが歯から外れて発射する。
【先行技術文献】
【特許文献】
【０００３】
【特許文献１】実開昭５６−１２１９９９号公報
【発明の概要】
【発明が解決しようとする課題】
【０００４】  しかし、発明者は上記輪ゴム銃では、装填部材の回転を引き金とストッパーとにより操作していたので、操作する部材が複数のため、構成が複雑になっており、しかも、撃鉄がないため、本物の拳銃との類似性が低下し、迫力に欠けるという課題を見出した。【０００５】  本発明は上記課題を解決するもので、多数の輪ゴムを装填部材に装填後、装填部材の操作を単一部材の引き金により操作する共に、撃鉄を有する拳銃に似ている輪ゴム銃を得ることを目的とする。
【課題を解決するための手段】
【０００６】  第１の発明に係る輪ゴム銃は、複数の第１の輪ゴムを引き金の操作に応じ、連続的に発射可能である第１の射撃形態を有しており、一つの第２の輪ゴムを単発で発射する第２の射撃形態とを有する複数の射撃形態を備え、板状で、対向して設けられ、グリップ部を有する一対の銃本体を備え、
銃身部材と、第１の輪ゴムを装填する装填部材と、該装填部材と連動する引き金と、該引き金と連動する撃鉄とを順に前記銃本体どうしで、挟持すると共に、前記グリップ部どうしで挟持されるグリップ部材とを有しており、前記銃本体には、前記銃身部材と前記グリップ部材が固定されると共に、前記装填部材、前記引き金、前記撃鉄が回転可能に取付けられた輪ゴム銃であって、
前記銃身部材には、先端部に設けられ、前記第１の輪ゴムを引っ掛ける第１のフックを有し、
前記装填部材は、側面視三角形状の板状で、三つの側面及び頂部を有し
前記引き金は板状で、前記側面を押圧し得る押圧面と、この押圧面と反対方向の上端部の一側面に伝達面と、前記押圧面から上方端部に前記頂部を引掛ける引っ掛け部と、前記伝達面の下には、突出した突起部とを有しており、
前記撃鉄は板状で、前記伝達面と接触可能な撃鉄面を有し、前記撃鉄面の下には、前記突起部を止める被係止部を備えており、
一端と他端とを有し、前記突起部の下側及び前記撃鉄の底辺部に前記一端が固定され、前記グリップ部材に前記他端が連結固定された伸び縮み可能な弾性手段を、備えており、
前記撃鉄は、前記第２の輪ゴムを掛ける立設された棒状の発射部を上端に有しており、
前記銃身部材の下側に上端面が接触してスライド可能に配置され、複数の凹凸部を下側に有するラック部、該ラック部と連通すると共に、前記装填部材の一つの側面と接触し得る傾斜状の制止面を有するラック部材と、
板状で、一端部に前記凹凸部に歯合するピニオンを有する半円部と、該半円部が前記銃本体に回転可能に設けられると共に、前記半円部と反対方向の他端部に前記第２の輪ゴムを引っ掛ける第２のフックを有する単発用銃身とを備え、
前記ラック部材、前記単発用銃身は、前記銃本体どうしで、挟持すると共に、前記銃本体に回転可能に取付けられており、
前記第１の射撃形態では、前記単発用銃身が折り畳まれた状態で、前記制止面と前記装填部材の側面とが離れ、前記装填部材が回転可能である、
前記第２の射撃形態では、前記単発用銃身と前記銃身部材とが一直線状にした状態で、前記制止面が前記装填部材の側面と当接して、前記装填部材が前記銃本体の天面と前記発射部の上面とを結ぶ線上よりも、突出しないように形成されている、ことを特徴とするものである。【０００７】  上記輪ゴム銃によれば、第１の射撃形態では、単発用銃身が折り畳まれた状態で、ラック部材の制止面と装填部材の側面とが離れ、装填部材が回転可能になる。そして、装填部材の一側面を引き金の押圧面と接触後、第１の輪ゴムを装填後、第１の輪ゴムを発射できる。
第１のフックに第１の輪ゴムの内側を引っ掛けて、装填部材を回転して頂点部を突出し、その頂点部に第１の輪ゴムの内側を掛けて装填部材を回転し、第１の輪ゴムを巻取りながら装填部材に装填する。同様に、複数の第１の輪ゴムを装填部材に装填する。この状態で、装填部材は、一側面と引き金の押圧面とが接触して制止している。ここで、引き金を引くと、引き金の伝達面、突起部が撃鉄の撃鉄面、被係止部からそれぞれ離れ、撃鉄が第１フック側に倒れると共に、装填部材が一定角度回転し、第１の輪ゴムを発射する。発射すると、装填部材は、頂部が引き金の引っ掛け部に引っ掛って回転を停止する。これにより、引き金の操作で、第１の輪ゴムを一つ発射できる。ここで、撃鉄を押すと、撃鉄が回転して引き金を引く前の状態に戻る。そして、引き金を一度引くと、第１の輪ゴムが発射し、撃鉄を押して元の状態に復帰する。次に、引き金を引くと、第１の輪ゴムを発射できる。なお、撃鉄を抑えた状態のままにしておくと、引き金の引き操作のみで第１の輪ゴムを連続的発射できる。
加えて、グリップ部材の上端部に引っ掛け片が設けられ、撃鉄の下端面には、引っ掛け片と当接する突起片を設けることが好ましい。引き金を引くと、撃鉄の突起片がグリップ部材の引っ掛け片に当接して回転を阻止するためである。【０００８】上記輪ゴム銃によれば、第２の射撃形態では、単発用銃身を回転して、単発用銃身と銃身部材とが一直線状にした状態で、ラック部材の制止面が装填部材の側面と当接して、装填部材が銃本体の天面と発射部とを結ぶ線上よりも、突出しなくなる。この状態で、装填部材が第２の輪ゴムの発射に邪魔にならなくなる。
ここで、第２のフックに一つの第２の輪ゴムの一方を掛けて、撃鉄の発射部に第２の輪ゴムの他方を十分に伸ばして掛ける。第２の輪ゴムを装填した後に、引き金を引くと、引き金の伝達面、突起部が撃鉄の撃鉄面、被係止部からそれぞれ離れ、撃鉄が第２の輪ゴムの張力により倒れ、第２の輪ゴムを発射する。次に、撃鉄を押すと、撃鉄が回転して引き金を引く前の状態に復帰する。これにより、銃本体を共通にする簡易な構成で、セミオートと、輪ゴムを目いっぱい伸ばして発射できる単発銃との射撃形態とを有する輪ゴム銃を得ることができる。
【発明の効果】
【０００９】  本発明によれば、多数の輪ゴムを装填部材に装填後、装填部材の操作を引き金により操作すると共に、引き金と連動する撃鉄を有する輪ゴム銃を得ることができる。
【図面の簡単な説明】
【００１０】
【図１】本発明の一実施の形態による輪ゴム銃の分解斜視図である。
【図２】図１による輪ゴム銃のセミオートの射撃形態を示す正面図である。
【図３】図１による輪ゴム銃の単発銃の射撃形態を示す正面図である。
【図４】図１による輪ゴム銃の装填部材に第１の輪ゴムＡを装填する手順を示し、装填部材の初期状態図（ａ）、輪ゴムＡを装填部材に掛けた状態図（ｂ）、装填部材を一定角度回転した状態図（ｃ）、輪ゴムＡを装填部材に掛け終えた状態図（ｄ）である。
【図５】輪ゴムＡを装填部材に掛け終えた状態図（ａ）、引き金を引いて一発目の輪ゴムＡを発射後の状態図（ｂ）、撃鉄を押して引き金が復帰した状態図（ｃ）、引き金を引いて二発目の輪ゴムＡを発射後の状態図（ｄ）である。
【発明を実施するための形態】
【００１１】実施の形態１．
本発明の一実施の形態を図１及び図３によって説明する。図１から図３において、輪ゴム銃１は、段ボール製で全体がピストル形状で、複数の第１の輪ゴムを装填後、第１の輪ゴムを引き金の操作に応じて、連続的に発射可能であるセミオートとしての第１の射撃形態と、一つの第２の輪ゴムＢを装填後、輪ゴムＢを単発で発射する単発銃としての第２の射撃形態とを有するものである。
輪ゴム銃１は、板形状で、一対の銃本体１０と、一対の銃本体１０に挟持される銃身部材１０ａと、第１の輪ゴムＡを装填する装填部材２０と、装填部材２０と連動する引き金３０と、引き金３０と連動する撃鉄４０とを横方向に順に設けられ、これらの板状に形成された部材が銃本体１０どうしで、挟持されると共に、銃本体１０のグリップ部１０ｇどうしで挟持されるグリップ部材１１０ｇとを有している。銃本体１０には、銃身部材１０ａとグリップ部材１１０ｇがピン２００を用いて固定されると共に、装填部材２０、引き金３０、撃鉄４０が回転可能にピン２００を用いて取付けられている。本体１０には、人の指で握られるグリップ部１０ｇを有していている。グリップ部材１１０ｇには、引き金３０を覆う略Ｕ形状の保護部１１０ｐが設けられている。
銃身部材１０ａは、板形状で、Ｌ形状を時計方向に９０°回転した形状となっており、輪ゴムＡを引っ掛ける第１のフック１０ｆが先端部に設けられ、下側に平らなスライド面を有している。装填部材２０は、側面視三角形状の板状で、三つの側面及び頂部２０ｓを有している。銃身部材１０ａには、輪ゴムを案内する案内ピン２０２、２０４が設けられている。
【００１２】  引き金３０は板状で、略Ｔ形状をしており、上端部の一側面に伝達面３０ａと、伝達面３０ａの反対側に装填部材２０の側面と接触可能な押圧面３０ｃとを有しており、押圧面３０ｃから上方端部に装填部材２０の頂部２０ｓを引掛ける引っ掛け部３０Ｌと、伝達面３０ａの下には、突出した突起部３０ｔとを有している。撃鉄４０は、板状で、第２の輪ゴムＢを係止する立設された棒状の発射部４０ｉを上端に有すると共に、伝達面３０ａと接触可能な撃鉄面４０ａを有しており、撃鉄面４０ａの下には、突起部３０ｔを止める被係止部としての切欠き４０ｋを有していて、下端面には、グリップ部材１１０ｇの上端部に設けられた引っ掛け片１１０Ｌと当接する突起片４０ｔを備えている。弾性手段としての二つの楕円形ゴム５０は伸び縮み可能で、引き金３０の突起部３０ｔの下側、撃鉄４０の切欠き４０ｋの隣の底辺に一端がそれぞれ固定され、グリップ部材１１０ｇに他端が固定されている。
【００１３】  単発用銃身１００を回転可能にする可動機構６０は、銃身部材１０ａの下側に上端面が接触してスライド可能に配置され、複数の凹凸部を下側に形成されたラック７０ｒを有するラック部材７０を有している。ラック部材７０は側面視へ形状で、該ラック部７０ｒと連通し、装填部材２０の一つの側面と接触し得る傾斜状の制止面７０ｓを有しており、上端部に第１の溝７０ｖと、この第１の溝７０ｖから第１のフック１０ｆと反対方向に一定距離離れた第２の溝７０ｕとを有している。
【００１４】  単発用銃身１００は板状の側面視Ｌ形状で、長方形状の短部とこの端部よりも幅が長い長部とを有する単発用銃身部１００ａを有しており、端部には半円部１００ｐが銃本体１０に回転可能に設けられ、半円部１００ｐと反対方向に第２の輪ゴムを引っ掛ける第２のフック１００ｆを有している。ここで、半円部１００ｐには、ラック部７０ｒの凹凸歯合するピニオンが形成されている。銃本体１０には、銃身部材１０ａから隙間を介して板状の弾力部１０ｄを有し、弾力部１０ｄには、第１又は第２の溝７０ｖ，７０ｕと係止する突起状の係止部１０ｔが形成されている。ここで、セミオート射撃では、係止部１０ｔが第１の溝７０ｖと係止してラック部材７０の移動を阻止し、単発射撃では、係止部１０ｔが第２の溝７０ｕと係止してラック部材７０の移動を阻止するように形成されている。なお、単発用銃身部１００ａの長部の内側には、保護部１１０ｐと当接し得るようにＶ形状に切欠きされている。
【００１５】  上記輪ゴム銃の輪ゴムの装填、発射の動作を図２から図５を参照して説明する。
＜セミオートの射撃における第１の輪ゴムＡの装填と発射＞
セミオートの射撃では、単発用銃身１００を反時計方向に回転し、単発用銃身１００が折り畳まれた状態で、ラック部材７０の制止面７０ｓから装填部材２０が離れて回転可能となる（図４（ａ））。銃本体１０の第１のフック１０ｆに第１の輪ゴムＡの内側を引っ掛けて、装填部材２０を時計方向に回転して頂点部２０ｓを突出し、その頂点部２０ｓに輪ゴムＡの内側を掛けて、装填部材２０を時計方向に回転して輪ゴムＡを巻取りながら装填部材２０に装填する（図４（ｂ）〜（ｄ））。同様に、次の輪ゴムＡを装填部材２０に装填する。この状態で、装填部材２０は、複数の輪ゴムＡを装填すると共に、一側面と引き金３０の押圧面３０ｃとが接触して回転を制止している（図４（ｄ））。
【００１６】  輪ゴムＡを装填部材２０に二つ装填した後（図５（ａ））、引き金３０を引くと、引き金３０の伝達面３０ａ、突起部３０ｔが撃鉄４０の撃鉄面４０ａ、切欠き４０ｋからそれぞれ離れて、撃鉄４０が第１のフック１０ｆ側に倒れると共に、装填部材２０が一定角度反時計方向に回転し、一つの輪ゴムＡが発射する。発射すると、引き金３０の引っ掛け部３０Ｌが装填部材２０の頂部２０ｓを引っ掛って装填部材２０の回転を停止する。この際、撃鉄４０の突起片４０ｔが引っ掛け片１１０Ｌに当接して、撃鉄４０の回転を制止する。これにより、引き金３０の一回の操作で、輪ゴムＡを一つ発射できる（図５（ｂ））。発射する。撃鉄４０の端部を下側に押すと、回転して引き金３０を引く前の状態に戻る（図５（ｃ））。二つ目の輪ゴムＡを上記動作に従って発射する（図５（ｄ））。
【００１７】＜単発銃の射撃における第２の輪ゴムＢの装填と発射＞
単発銃の射撃では、単発用銃身１００を時計方向に回転し、単発用銃身１００と銃本体１０の銃身部材１０ａとが一直線状にした状態で、ラック部材７０の制止面７０ｓが装填部材２０の側面と当接して、装填部材２０が銃本体１０の天面と発射部４０ｉとを結ぶ線上よりも、突出しなくなっている。ここで、輪ゴムＢは、第２のフック１００ｆに一方を掛け、撃鉄４０の発射部４０ｉに他方を十分に伸ばして掛けると装填が完了する。この装填状態から、引き金３０を引くと、引き金３０の伝達面３０ａ、突起部３０ｔが撃鉄４０の撃鉄面４０ａ、切欠き４０ｋからそれぞれ離れて、撃鉄４０が輪ゴムＢの張力により倒れ、輪ゴムＢを発射する。発射後、撃鉄４０の端部を下側に押すと、撃鉄が回転して、引き金３０を引く前の状態に復帰する。
【符号の説明】
【００１８】  １  輪ゴム銃、１０  銃本体、１０ａ  銃身部材、１０ｆ  第１のフック、１０ｇ  グリップ部、１０ｔ  係止部、２０  装填部材、３０  引き金、３０ａ  伝達面、３０ｃ  押圧面、３０Ｌ  引っ掛け部、３０ｔ  突起部、４０  撃鉄、４０ａ  撃鉄面、４０ｉ  発射部、４０ｋ  切欠き、５０  楕円形ゴム、７０  ラック部材、７０ｒ  ラック部、７０ｖ  第１の溝、７０ｓ  制止面、７０ｕ  第２の溝、１００  単発用銃身、１００ｆ  第２のフック、１００ｐ  半円部、１１０ｇ  グリップ部材。
【要約】      （修正有）【課題】複数の輪ゴムを装填部材に装填後、引き金の操作で、一つの輪ゴムを発射でき、引き金と連動した撃鉄を備えた輪ゴム銃を提供する。【解決手段】輪ゴムの装填部材２０と、引き金３０と、撃鉄４０とを銃本体１０に設けた輪ゴム銃であって、銃身部材１０ａの先端部に設けられ、輪ゴムを引っ掛ける第１のフック１０ｆを有し、装填部材２０は、三角形状で、三つの側面及び頂部２０ｓを有し、引き金３０は、上端部の一側面に伝達面３０ａと、伝達面３０ａの反対側に押圧面３０ｃとを有し、押圧面３０ｃから上方端部に装填部材２０の頂部２０ｓを引掛ける引っ掛け部と、伝達面３０ａの下には、突出した突起部３０ｔと、を備え、撃鉄４０は伝達面３０ａと接触可能な撃鉄面４０ａを有し、撃鉄面４０ａの下には、突起部３０ｔを止める切欠き４０ｋを有し、引き金３０及び撃鉄４０に一端が固定され、グリップ部材１１０ｇに他端が固定された楕円形ゴム５０を備える。【選択図】図２【図１】
0006894029.tif 000002
【図２】
0006894029.tif 000003
【図３】
0006894029.tif 000004
【図４】
0006894029.tif 000005
【図５】
0006894029.tif 000006